(57)【特許請求の範囲】
【請求項１】
流し台や洗面台等の天板の下側に設置された部材に固定される固定部と、天板の上側の支持具に引き出し自在に支持された吐水具のホースを案内するガイド部とを備えた引き出し吐水具のホースガイドであって、
前記ガイド部の周面にはアームが突設され、該アームは、前記固定部に回動自在に支持されることにより、前記固定部に対して前記ガイド部を傾動可能に設けたことを特徴とする引き出し吐水具のホースガイド。
【請求項２】
流し台や洗面台等の天板の下側に設置された部材に固定される固定部と、天板の上側の支持具に引き出し自在に支持された吐水具のホースを案内するガイド部とを備えた引き出し吐水具のホースガイドであって、
前記ガイド部のパイプ部と前記固定部のパイプ部とが挿嵌接続して固定されることにより、前記固定部に対して前記ガイド部を伸縮可能に設けたことを特徴とする引き出し吐水具のホースガイド。
【発明の詳細な説明】
【０００１】
【発明の属する技術分野】
本各発明は、流し台や洗面台等の天板の下側に設置された部材に固定される固定部と、天板の上側の支持具に引き出し自在に支持された吐水具のホースを案内するガイド部とを備えた引き出し吐水具のホースガイドに関する。
【０００２】
【従来の技術】
従来、シャワーヘッド等の吐水具を引き出し自在に支持する支持具を備えた給水栓が知られている。このような給水栓では、流し台や洗面台等の天板の上側に支持具が設置されており、吐水具に接続されたホースが天板の下側にＵ字状に撓ました状態で収容されている。以下、これを図１１（ａ）を参照して説明する。
【０００３】
天板１上に設置された湯水混合水栓１０の水栓本体１１には、水平方向に回動自在に支持具１２が取り付けられており、この支持具１２には、引き出し自在に吐水具１３が支持されている。また、水栓本体１１の上部には吐水具１３からの湯水の吐止水及び流量・温度調節を行うためのレバー１４が取り付けられている。水栓本体１１には、天板１下の給水栓・給湯栓（図示省略）から湯水を供給する配管（図示省略）が接続されている。また、水栓本体１１にて混合された湯水を吐水具１３へ供給するための接続管１５が、水栓本体１１から天板１下に延設されている。接続管１５は、スパイラル管など一定の剛性を備えている。接続管１５の先端には、この接続管１５と吐水具１３に接続されたホース１６とを接続するジョイント１７が取り付けられている。ジョイント１７を介して接続管１５に接続されたホース１６は、接続管１５から下方にＵ字状に撓ませて水栓本体１１に引き込まれ、支持具１２内を経て吐水具１３に接続されている。湯水混合水栓１０真下には、ホース１６を伝って垂れる湯水を受け止める水受けタンク１８が設置されている。
【０００４】
ジョイント１７には、吐水具１３を支持具１２から出し入れする際にホース１６を案内する図１０に示すようなホースガイド２０が取り付けられている。このホースガイド２０は、ホース１６の外径より僅かに大きな内径を備えてホース１６を挿通する略円筒形状のガイド部２１と、天板１下側の部材に取り付け固定される固定部２２とを備えたものである。ここで、固定部２２は、接続管１５等の配管に嵌着固定される横断面Ｃ字状の第１固定部２６と、天板１下側のキャビネットの壁面等にネジ等により取り付け固定される取り付け孔２４を有する第２固定部２５とを備えてなり、天板１下側の種々の部材に応じて種々の態様で固定がなされる。
【０００５】
従来、このようなホースガイド２０により、吐水具１３を支持具１２から出し入れする際にホース１６の動きを規制して、ホース１６が不用意に遊動して天板１下の種々の部材に引っかかったり、水受けタンク１８外に垂れ下がるの防止していた。
【０００６】
【発明が解決しようとする課題】
しかしながら、上記した従来のホースガイド２０では、以下のような種々の問題を生じていた。
【０００７】
まず、固定部２２に対するガイド部の２１の向きが一定であるため、ガイド部２１により案内されるホース１６の向きについて自由度が低い。よって、図１１（ｂ）に示すように、吐水具１３が支持具１２から引き出された際に、ガイド部２１から垂れ下がるホース１６が不用意な方向に湾曲し、ホース１６の一部が水受けタンク１８の上方からはみ出す虞があった。このようにホース１６の一部が水受けタンク１８の上方からはみ出すと、吐水具１３を支持具１２に支持した際に、ホース１６が水受けタンク１８に円滑に収容されなくなってしまう。
【０００８】
また、ホース１６は吐水具１３の上げ下げによって湾曲されたり真っ直ぐにされたりする一方、ガイド部２１の角度は固定されているので、ガイド部２１の内壁面にホース１６が引っかかりやすく、ホース１６の引き出し・収納が円滑に行えない場合もあった。
【０００９】
次に、固定部２２に対するガイド部２１の距離が一定であるため、ガイド部２１の配置部位が限定されてしまう。よって、ガイド部２１を固定部２２に近接して配置したり遠隔して配置する等、種々の配置態様に対応できず、汎用性に乏しかった。
【００１０】
本各発明は上記した従来の引き出し吐水具のホースガイドの問題点を解消するものであり、請求項１の発明では、ホースを円滑に案内させることを目的とし、請求項２の発明では、汎用性を向上させることを目的とする。
【００１１】
【課題を解決するための手段】
以上の課題を解決するために、本各発明の採った手段を以下に説明する。本発明の請求項１に記載の引き出し吐水具のホースガイドは、「流し台や洗面台等の天板の下側に設置された部材に固定される固定部と、天板の上側の支持具に引き出し自在に支持された吐水具のホースを案内するガイド部とを備えた引き出し吐水具のホースガイドであって、前記ガイド部の周面にはアームが突設され、該アームは、前記固定部に回動自在に支持されることにより、前記固定部に対して前記ガイド部を傾動可能に設けたことを特徴とする引き出し吐水具のホースガイド」である。
【００１２】
吐水具を支持具に支持した状態では、ホースガイドの近傍のホースはほぼ真っ直ぐ下に垂れ下がった状態となる。一方、吐水具を支持具から引き出した状態では、ホースガイドの近傍のホースは大きく湾曲した状態となる。本発明のようにガイド部を固定部に対して傾動可能に設けることにより、ホースが真っ直ぐ下に垂れ下がった状態でもホースが大きく湾曲した状態でも、ホースの向きに対応してホースを案内することができる。したがって、吐水具を支持具から引き出した際には、ホースが水受けタンク外の不用意な方向に湾曲することはなく、これにより、吐水具を支持具に支持した際には、ホースが水受けタンクに円滑に収容されることになる。また、ガイド部自体がホースの向きに応じて角度を変えることができるので、ガイド部内壁面へのホースの引っかかりも少なくなり、ホースの引き出し・収納を円滑に行うことができる。
【００１３】
尚、本発明における「傾動可能」とは、何れかの方向に角度を変え得ることをいう。支持具が回動自在に設けられた態様や、ホースが斜めに支持具へと引き込まれている態様では、ホースが必ずしも真下に向かって垂れ下げられるとは限らず、いくぶん傾いて垂れ下げられることもある。このような態様においては、ガイド部を横方向に傾動させることでホースを円滑に案内させることができる場合がある。よって、このような態様も含めて、本発明においては、上下方向に傾動可能とするばかりでなく、左右方向に傾動可能としてもよい。特に、上下方向及び左右方向に傾動可能とするのが好適である。
【００１４】
また、固定部に対してガイド部を傾動可能に設ける具体的手段としては、例えば、弾性部材を用いて固定部にガイド部を支持する態様、固定部に回動可能にガイド部を軸支する態様、可撓性のある部材により固定部とガイド部とを一体的に形成する態様などを例示できる。
【００１５】
本発明の請求項２に記載の引き出し吐水具のホースガイドは、「流し台や洗面台等の天板の下側に設置された部材に固定される固定部と、天板の上側の支持具に引き出し自在に支持された吐水具のホースを案内するガイド部とを備えた引き出し吐水具のホースガイドであって、前記ガイド部のパイプ部と前記固定部のパイプ部とが挿嵌接続して固定されることにより、前記固定部に対して前記ガイド部を伸縮可能に設けたことを特徴とする引き出し吐水具のホースガイド」である。
【００１６】
引き出し吐水具が設けられる流し台や洗面台には種々の態様のものがある。また、支持具としても、水栓本体に設けられたものや水栓本体とは個別に設けられたもの等、種々の態様のものがある。このため、ホースガイドを設置する状況には、固定部を固定する壁面や配管などとホースとの距離について種々の態様があることとなる。そこで、ガイド部を固定部に対して伸縮自在に設けることにより、固定部とホースとの距離が種々の態様により異なる場合でも、適切な位置にガイド部を配置することができる。
【００１７】
なお、「伸縮自在に設ける」具体的手段は、例えば、ガイド部と固定部とを互いにスライド自在に挿嵌した態様、ガイド部と固定部とを蛇腹管等のそれ自体が伸び縮み可能な部材により連結した態様などを例示できる。
【００１８】
【発明の実施の形態】
次に、本各発明に係る引き出し吐水具のホースガイドの実施形態を、図面を参考にして詳細に説明する。なお、以下、既述の従来技術と共通する構成については、従来技術と同一の符号を付して説明を省略する。
【００１９】
図１から図３に、ホースガイド３０の一例を示す。このホースガイド３０は、吐水具１３に接続されたホース１６を挿通するガイド部３２と、ホースガイド３０を天板１下側の部材に固定する固定部３４とを備えている。ここで、固定部３４には、接続管１５先端に取りつけられたジョイント１７等の配管に嵌着固定するための第１固定部２６と、壁面など平面状の部材に固定するための第２固定部２５とが備えられている。
【００２０】
ガイド部３２は、略円筒形状に形成され、その内径は、挿通されるホース１６の外径よりも僅かに大きく設けられている。これにより、ホース１６を円滑に挿通案内させることができる一方で、ホース１６がガイド部３２内で大きく遊動しないように構成されている。そして、ガイド部３２の周面にはアーム３３が突設されており、このアーム３３は、後述する固定部３４の保持部３５にピン３７を介して上下方向に回動自在に軸着されている。
【００２１】
固定部材３４は、横断面Ｃ字状に形成されてジョイント１７等の配管に嵌着可能な第１固定部２６と、この第１固定部２６の後ろ側端部から連設され、流し台や洗面台のキャビネット内の壁面等に固定可能な第２固定部２５とを有している。そして、第１固定部２６の周面からは保持部３５が突設されており、この保持部３５には、上下方向に沿ってスリット３６が備えられている。このスリット３６にガイド部３２のアーム３３が挿入され、保持部３５及びアーム３３を貫通するピン３７を介してアーム３３が上下方向に回動自在に支持されており、これにより、固定部３４に対してガイド部が３２が上下方向に傾動可能（図１の矢印Ａ）となっている。尚、本例では、スリット３６の幅がアーム３３の厚みより大きく形成されており、左右方向に多少の遊びが生ずるように構成されている。これにより、固定部３４に対してガイド部が３２が左右方向に僅かに傾動可能（図１の矢印Ｂ）となっている。
【００２２】
このようなホースガイドを利用した場合、図２（ａ）に示すように、吐水具１３を支持具１２に支持させている状態では、ホース１６は湯水混合水栓１０真下に垂れ下がり、ガイド部３２はその長手方向をほぼ垂直にしてホース１６を挿通させている。そして、図２（ｂ）に示すように、吐水具１３を支持具１２から取り外し引き出すと、ホース１６は上方に引き上げられて、ホース１６のＵ字状に垂れ下がっていた部位が上方に移動する。すると、ホース１６の湾曲部がホースガイド３０の近傍に位置することとなるが、ガイド部３２が固定部３４に対してその長手方向の下部を外側に向けるように傾くため、ガイド部３２に対するホース１６の円滑な挿通は阻害されない。また、ガイド部３２の傾動によりホース１６の不用意な方向への湾曲が吸収されるため、ホース１６の垂れ下がりが水受けタンク１８外にはみ出ることもない。
【００２３】
次いで、別のホースガイド５０を図４から図６を参照して説明する。図４に示すのは、ガイド部５２が固定部５４に対してパイプ部５３，５５を挿嵌接続して伸縮自在に設けられたホースガイド５０である。ガイド部５２及び固定部５４の側面には、それぞれパイプ部５３，５５が突設されている。図５に示すように、パイプ部５３の外径は、パイプ部５５の内径よりも僅かに小さく形成されており、パイプ部５５内に挿嵌可能に設けられている。また、パイプ部５５の先端部はスリット５６を設けたテーパネジ部５７を備えている。そして、パイプ５３の先端を所望量パイプ５５の内部に挿嵌し、ナット５８をテーパネジ部５７に締め付けていくと、テーパネジ部５７が内方に締め付けられ、これによりパイプ５３が所望の位置でパイプ５５に固定される。
【００２４】
このようにパイプ部５３，５５を伸縮自在、すなわちガイド部５２が固定部５４に対して伸縮自在に設けられることにより、ガイド部５２と固定部５４との距離を可変可能に設けることができる。例えば、図６（ａ）に示すように固定部５４をジョイント１７に固定する場合には、ガイド部５２を縮めてホース１６を挿通案内し、図６（ｂ）に示すように固定部５４を壁面２に取り付けたい場合には、ガイド部５２を伸長させてホース１６を挿通案内することにより、いずれの場合にも水受けタンク１８の上方にホース１６を的確に位置させることができる。したがって、天板１下の各部材の種々の配置態様などに対応して、ガイド部５２を適切な部位に配置できる。
【００２５】
次いで、さらに別のホースガイド６０について図７から図９を参照して説明する。このホースガイド６０は、ガイド部６２と固定部６４とを簡単に組み付け・取り外し可能としたものである。また、固定部６４に対してガイド部６２を上下方向に傾動可能に設けたものでもある。
【００２６】
図７に示すように、ガイド部６２の側面には、ホース１６の挿通方向に対して直交方向に突出する係合部６３を備えたＴ字状の係合アーム６５が設けられている。一方、固定部材６４は、壁面２にネジ３により固定されるものであり、ガイド部６２側の側面には、係合アーム６５を挿通可能な挿通孔６６が穿設されている。そして、ガイド部６２は、その係合アーム６５を固定部６４の挿通孔６６に挿通して９０°反転させることにより、係合アーム６５の係合部６３が固定部６４に回動自在に支持される。これにより、ガイド部６２は固定部６４に対して上下方向に傾動可能に組み付けられる。次に、固定部６４へのガイド部６２の組み付け構造を説明する。
【００２７】
図８に示すように、固定部６４の挿通孔６６が設けられた前面の裏側、挿通孔６６と直交する方向には、係合部６３が係合する係合溝６８が形成されている。係合溝６８は、係合部６３の横断面形状と対応する形状に形成されており、ガイド部６２の上下動作により係合部６３が係合溝６８内で円滑に回動するように構成されている。そして、この係合溝６８の奥側には、係合溝６８に沿うように抑え部６７が設けられている。抑え部６７と係合溝６８の頂部との距離は、係合部６３の外径よりも僅かに小さく形成されており、係合部６３を係合溝６８に装着する際には、係合溝６８と抑え板６７を弾性拡開させるように押し込むことで簡単に装着でき、装着された後には、係合溝６８に装着された係合部６３が容易に脱落しないように構成されている。一方、抑え部６７と係合溝６８の底部との距離は、係合部６３の外径よりも僅かに大きく形成されており、係合溝６８に係合された係合部６３が遊嵌状態で係合されるように設けられている。これにより、ガイド部６２が固定部６４に対して左右方向にガタツキ易くなり、ガイド部６２は、固定部６４に対して左右方向においても僅かに傾動可能となる。
【００２８】
このようなホースガイド６０では、固定部６４が壁面２等に固定されるのであるが、ジョイント１７等の配管に固定したい場合には、ガイド部６２を構成する部材は共用しつつ、固定部６４を構成する部材を変更すればよい。次に、これを説明する。
【００２９】
図９に、ジョイント１７等の配管に固定されるホースガイド７０を示す。このホースガイド７０では、ガイド部６２は上記例と同様であるが、固定部７４がジョイント１７等の配管に嵌着固定されるものとなっている。固定部７４は、前面側に上記固定部６４と同様に挿通孔６６、抑え部６７、係合溝６８を備えているのであるが、背面側には、ジョイント１７に嵌着可能な嵌着部７２が設けられている。
【００３０】
図７及び図９に示した２つの例では、ガイド部６２が固定部６４，７４のいずれに対しても簡単に装着可能に構成されているので、ガイド部６２を構成する部材を共用としつつ、固定部６４，７４を構成する部材を適宜選択、或いは交換することで、多様な固定態様に対応することができる。
【００３１】
以上の各例では、ガイド部３２，５２，６２を円筒形状に形成したが、ホース１６をガイド部３２，５２，６２に挿通する際、ホース１６の一端を吐水具１３に接続し、他端をジョイント１７に接続した後では、ガイド部３２，５２，６２にホースを挿通できないため、施工作業が煩雑である。そこで、図３に示すようなガイド部３２ａ，３２ｂ，３２ｃを採用することが好適である。
【００３２】
図３（ａ）に示すのは、切り欠き３８を設けたガイド部３２ａである。切り欠き３８の幅は、挿通されるホース１６の外径よりも小さく形成されているが、この切り欠き３８を弾性拡開させることにより、側方からホース１６を挿通することができる。尚、挿通後は、切り欠き３８からホース１６が容易に外れることはない。
【００３３】
図３（ｂ）に示すのは、側面を切り欠いた両端部に係合部３９と被係合部４０とを設けたガイド部３２ｂである。係合部３９と被係合部４０との係合を解除することにより、ホース１６を側方より挿通することができる。そして、ホース１６挿通後は、係合部３９と被係合部４０とを係合させることにより、ホース１６の外れを確実に防止することができる。
【００３４】
図３（ｃ）に示すのは、側面にスリット４５を設け、このスリットに蓋部材４１を装着したガイド部材３２ｃである。スリット４５から蓋部材４１を取り外すことにより、大きな開口を得てホース１６を側方より簡単に挿通することができる。また、スリット４５に蓋部材４１を装着することにより、ホース１６の外れを確実に防止することができる。ここで、本例では、蓋部材４１の両側端面に係合部４２が設けられ、スリット４５の両側端面に被係合部４３が設けられており、係合部４２と被係合部４３との係合により、蓋部材４１はガイド部３２ｃに堅固に装着される。
【００３５】
【発明の効果】
本各発明は上記のように構成されているので、請求項１の発明では、ホースを円滑に案内させることができ、請求項２の発明では、汎用性を向上させることができる。
【図面の簡単な説明】
【図１】ホースガイドの斜視図である。
【図２】図１のホースガイドを用いた湯水混合水栓の側面図である。
【図３】ガイド部の他の態様を示す平面図である。
【図４】別のホースガイドの斜視図である。
【図５】図４のホースガイドのパイプ部を示す要部拡大斜視図である。
【図６】図４のホースガイドを用いた湯水混合水栓の側面図である。
【図７】さらに別のホースガイドの斜視図である。
【図８】図７のホースガイドのＡ−Ａ線断面図である。
【図９】図７のホースガイドのガイド部を用いた別のホースガイドの斜視図である。
【図１０】従来のホースガイドの斜視図である。
【図１１】従来のホースガイドを用いた湯水混合水栓の側面図である。
【符号の説明】
１；天板、２；壁面、３；ネジ、１０；湯水混合水栓、１１；水栓本体、１２；支持具、１３；吐水具、１４；レバー、１５；接続管、１６；ホース、１７；ジョイント、１８；水受けタンク、２０；ホースガイド、２１；ガイド部、２２；固定部、２４；取り付け孔、２５；第２固定部、２６；第１固定部、３０；ホースガイド、３２ａ，３２ｂ，３２ｃ；ガイド部、３３；アーム、３４；固定部、３５；保持部、３６；スリット、３７；ピン、３８；切り欠き、３９；係合部、４０；被係合部、４１；蓋部材、４２；係合部、４３；被係合部、４５；スリット、５０；ホースガイド、５２；ガイド部、５３；パイプ部、５４；固定部、５５；パイプ部、５６；スリット、５７；テーパネジ部、５８；ナット、６０；ホースガイド、６２；ガイド部、６３；係合部、６４；固定部、６５；係合アーム、６６；挿通孔、６７；抑え部、６８；係合溝、７０；ホースガイド、７２；嵌着部、７４；固定部。
【図１】
0004694679.tif 000002
【図２】
0004694679.tif 000003
【図３】
0004694679.tif 000004
【図４】
0004694679.tif 000005
【図５】
0004694679.tif 000006
【図６】
0004694679.tif 000007
【図７】
0004694679.tif 000008
【図８】
0004694679.tif 000009
【図９】
0004694679.tif 000010
【図１０】
0004694679.tif 000011
【図１１】
0004694679.tif 000012